(57)【要約】【課題】直下を効果的に照明することができる照明器具を提供する。【解決手段】ＬＥＤ照明器具１０は、略球状の照射拡散カバー１２と、照射拡散カバーの底部に設けられるＬＥＤ光源２１と、照射拡散カバーの頂部に沿って設けられる球面状の反射面２２と、照射拡散カバーの底部およびＬＥＤ光源を支持してＬＥＤ光源に電力を供給する基部１３とを備える。【選択図】図２
0003174789.tif 000002
【実用新案登録請求の範囲】
【請求項１】
略球状の照射拡散カバーと、
前記照射拡散カバーの底部に設けられるＬＥＤ光源と、
前記照射拡散カバーの頂部に沿って設けられる球面状の反射面と、
前記照射拡散カバーの底部および前記ＬＥＤ光源を支持して前記ＬＥＤ光源に電力を供給する基部とを備える、ＬＥＤ照明器具。
【請求項２】
前記反射面は、照射拡散カバーをコーティングする反射層である、請求項１に記載のＬＥＤ照明器具。
【請求項３】
平面視において、前記反射面は前記基部よりも大きい、請求項１または２に記載のＬＥＤ照明器具。
【請求項４】
前記反射面は、前記照射拡散カバーの頂上から底部側へ向かって広がり、
前記反射面の周縁は、照射拡散カバーの上半球領域に位置する、請求項３に記載のＬＥＤ照明器具。
【請求項５】
前記反射面の周縁は、照射拡散カバーの頂上から底部までの距離のうち、頂上から１／４の部位と頂上から１／３の部位の間に位置する、請求項４に記載のＬＥＤ照明器具。
【請求項６】
前記基部は外方へ突出する複数のフィンを有する、請求項１〜５のいずれかに記載のＬＥＤ照明器具。
【請求項７】
前記基部は、ＬＥＤ駆動回路を含むＬＥＤ駆動部と、前記ＬＥＤ駆動部から前記照射拡散カバーの底部まで延びて前記ＬＥＤ光源を支持するフィン領域とを有する、請求項１〜６のいずれかに記載のＬＥＤ照明器具。
【請求項８】
前記基部を支持するスタンドをさらに備える、請求項１〜７のいずれかに記載のＬＥＤ照明器具。
【考案の詳細な説明】
【技術分野】
【０００１】
本考案は、ＬＥＤ光源を備えた照明器具に関する。
【背景技術】
【０００２】
ＬＥＤ（Light Emitting Diode）は省電力かつ長寿命であることから、照明器具に多数利用されている。例えば、特開２０１１−２２２４６８号公報（特許文献１）に記載の発光ダイオード電球は、逆円錐台形状の台座と、台座の上面に配置された複数個の発光ダイオードと、台座の上に設けられて発光ダイオードを覆う球状のランプカバーを備える。そして発光ダイオードが強い白光を発すると、その光はランプカバーの内壁面へ放出される。このうち、垂直に近い角度でランプカバーの内壁面に投射された光線は、ランプカバーを通過する。また、傾いた角度でランプカバーの内壁面に投射された光線は、ランプカバー内で反射して、最終的にランプカバーを通過する。これにより、全方向への光の投射を達成するというものである。
【０００３】
また特開２００９−３０１８６０号公報（特許文献２）に記載の照明装置は、本体部の上面に赤、緑、青の三原色のＬＥＤを設け、本体部から上方に離隔した位置に、半球状のセードを配置して、三原色のＬＥＤを覆う。本体部の上面は反射体を構成し、セードの頂部には水平な円板からなり、本体部の上面と向き合う反射体が取り付けられている。そして三原色のＬＥＤから放射される各光は、まずセードの反射体で反射し、次に本体部の反射体で反射して混合され、セードを通過して外部を照明するというものである。
【先行技術文献】
【特許文献】
【０００４】
【特許文献１】特開２０１１−２２２４６８号公報
【特許文献２】特開２００９−３０１８６０号公報
【考案の概要】
【考案が解決しようとする課題】
【０００５】
しかし、上記従来のような照明装置にあっては、以下に説明するような問題を生ずる。つまり、特許文献１に記載の発光ダイオード電球は側方および上方を照明するが、直下を効果的に照明することができない。また特許文献２に記載の照明装置は、セードの頂部に水平な円板形状の反射体を付設するが、本体上面の反射体と向き合って三原色を混合しているのみで、照明装置の直下を効果的に照明することができない。
【０００６】
本考案は、上述の実情に鑑み、直下を効果的に照明することができる照明器具を提供することを目的とする。  
【課題を解決するための手段】
【０００７】
この目的のため本考案によるＬＥＤ照明器具は、略球状の照射拡散カバーと、照射拡散カバーの底部に設けられるＬＥＤ光源と、照射拡散カバーの頂部に沿って設けられる球面状の反射面と、照射拡散カバーの底部およびＬＥＤ光源を支持してＬＥＤ光源に電力を供給する基部とを備える。
【０００８】
かかる本考案によれば、球状の照射拡散カバーの頂部に球面状の反射面が設けられていることから、ＬＥＤ光源から照射された光線は反射面で反射して下方へ向かい、照明器具の直下を効果的に照明することができる。反射面は照射拡散カバーと略同じ曲率で広がる球面であればよく、照射拡散カバーから連続して広がる。反射面の構造は特に限定されない。一実施形態として、反射面は照射拡散カバーをコーティングする反射層である。反射層は照射拡散カバー内壁面に形成された被膜であってもよいし、外壁面に形成された被膜であってもよい。他の実施形態として反射面は、照射拡散カバーと同じ曲率の球面を有し、照射拡散カバーと別部材であって、照射拡散カバーの上側に取付固定される。
【０００９】
好ましい実施形態として、平面視において、反射面は基部よりも大きい。かかる実施形態によれば、平面視において反射面が基部よりも外側へせり出すことから、照明器具の直下を一層効果的に照明することができる。他の実施形態として、平面視において、反射面は基部よりも小さい。
【００１０】
より好ましい実施形態として、反射面は、照射拡散カバーの頂上から底部側へ向かって広がり、反射面の周縁は、照射拡散カバーの上半球領域に位置する。かかる実施形態によれば、照射拡散カバーは上半球領域で照明器具の直下を照明する他、照射拡散カバーの下半球領域で照明器具の側方を照明することができる。これにより、照明器具の直下および側方をバランスよく照明することができる。
【００１１】
さらに好ましい実施形態として、反射面の周縁は、照射拡散カバーの頂上から底部までの距離のうち、頂上から１／４の部位と頂上から１／３の部位の間に位置する。他の実施形態として、反射面の周縁は、照射拡散カバーの頂上から１／４の部位よりも上方に位置する。別の実施形態として、反射面の周縁は、照射拡散カバーの頂上から１／３の部位と頂上から１／２の部位の間に位置するものであってもよい。
【００１２】
一実施形態として、基部は外方へ突出する複数のフィンを有する。かかる実施形態によれば、基部の表面積を大きくして、基部を効率よく冷却することができる。ここで好ましくは、基部はＬＥＤ駆動回路を含むＬＥＤ駆動部と、ＬＥＤ駆動部から照射拡散カバーの底部まで延びてＬＥＤ光源を支持するフィン領域とを有する。かかる実施形態によれば、ＬＥＤ光源およびＬＥＤ駆動部を効率よく冷却することができる。
【００１３】
一実施形態として、基部を支持するスタンドをさらに備えてもよい。かかる実施形態によれば、スタンドが設置される場所の直下床面および側方を効率よく照明することができる。他の実施形態として、基部の上下方向寸法を照射拡散カバーよりも大きくして、床に載置してもよい。
【考案の効果】
【００１４】
このように本考案は、照明器具の直下を効果的に照明することができる。したがって、夜間や地下などの暗所において作業者の足元を明るくして足元の作業の効率化に資する。
【図面の簡単な説明】
【００１５】
【図１】本考案の一実施例になるＬＥＤ照明器具を示す全体側面図である。
【図２】同実施例になるＬＥＤ照明器具を拡大して示す側面図である。
【図３】図２のIII−IIIにおける断面図である。
【考案を実施するための形態】
【００１６】
以下、本考案の実施の形態を、図面に示す実施例に基づき詳細に説明する。図１は、本考案の一実施例になるＬＥＤ照明器具を示す全体側面図である。ＬＥＤ照明器具１０は、三脚などのスタンド１１で下方から支持されている。図２は、ＬＥＤ照明器具を拡大して示す側面図である。ＬＥＤ照明器具１０は、ＬＥＤ光源２１と、ＬＥＤ光源を覆う略球状の照射拡散カバー１２と、照射拡散カバー１２の底部を支持する基部１３を備える。そしてＬＥＤ照明器具１０は、基部１３を下に、照射拡散カバー１２を上にして直立する。
【００１７】
基部１３は、フィン領域３１と、ＬＥＤ駆動部４１とを有する。ＬＥＤ駆動部４１は、上端が大径であって下端が小径である円錐台形状の筐体であって、その内部にＬＥＤ光源２１に電力を供給するＬＥＤ駆動回路を有する。ＬＥＤ駆動部４１の下端から延びる電力ケーブル１４は、図示しない外部電源に接続されて、ＬＥＤ駆動部４１に電力を供給する。ＬＥＤ駆動部４１の外周面には外方へ突出する複数のフィン４２が形成されている。フィン４２は上下方向に延びる。
【００１８】
フィン領域３１はＬＥＤ駆動回路部４１の上端から照射拡散カバー１２の底部まで上下方向に延びる。フィン領域３１の上端は基部１３の上端を構成する。図３は図２にIII−IIIで示す断面でフィン領域３１を切断して矢印方向にみた状態を示す断面図である。図３に示すようにフィン領域３１は、上下方向に延びる中心軸３２と、中心軸３２から放射状に突出する複数のフィン３３と、フィン３３よりも肉厚の壁部３４を有する。壁部３４も中心軸３２から放射状に突出するように設けられる。本実施例では周方向等間隔に４枚の壁部３４が設けられる。
【００１９】
図３に示すように、フィン３３の根元には、上下方向に延びる１対の電線４３が設置される。電線４３はＬＥＤ駆動部４１とＬＥＤ光源２１を接続する。フィン３３の径方向高さは、中心軸３２の直径と略同じか中心軸３２の直径よりも大きい。これによりフィン領域３１は高い放熱効果を発揮する。フィン領域３１はアルミニウム、アルミニウム合金、または他の金属で形成される。金属製にすることで熱伝導率が良く、高い放熱効果を発揮する。フィン領域３１の上下方向中央部は、図１に示すように、ブラケット１５で支持されている。
【００２０】
ブラケット１５は、基部１３の外周面を拘束するリング部１６と、このリング部１６を支持するコ字状部１７を有する。上方へ延びるコ字状部１７の両端は、周方向に１８０度離れたリング部１６の２箇所を軸支する。コ字状部１７の下側で水平に延びる中央部は上下方向に延びるパイプ１１ｐの上端と結合する。パイプ１１ｐの下端部はスタンド１１の上側中央部に取り付けられている。パイプ１１ｐは入れ子式であり、長さ寸法を調整可能である。
【００２１】
基部１３の上端にはＬＥＤ光源２１が設けられる。ＬＥＤ光源２１は半球状のレンズで覆われた白色の発光ダイオードであり、平面視において基部１３の上端中央に配置され、フィン領域３１の中心軸３２の上側端面にねじ止め固定される。なおＬＥＤ光源２１内部の発光ダイオードは１個ないし複数個である。
【００２２】
照射拡散カバー１２は、内部に空洞を有する略球状の覆いであり、その底部１２ｂに円形の開口部１２ｐが設けられる。開口部１２ｐの周縁にはリング状の座部１９が取り付けられている。座部１９の外径は照射拡散カバー１２の外径の略半分である。座部１９の下端には内向きフランジ１９ｕが形成される。内向きフランジ１９ｕは基部１３のフィン領域３１の上端にねじ止め固定され、隣り合うフィン３３，３３の間を塞ぐ。これにより照射拡散カバー１２の底部は基部１３に支持され、基部１３の上端は照射拡散カバー１２に覆われる。
【００２３】
照射拡散カバー１２は、照射拡散カバー１２の底部に設けられたＬＥＤ光源２１を雨や埃から保護する。照射拡散カバー１２は透光性を有する材料、例えばプラスチック樹脂または二酸化ケイ素を主成分とするガラス、で形成され、半透明ないし透明である。
【００２４】
照射拡散カバー１２の頂上１２ａを含む照射拡散カバー１２の頂部は、反射層２２でコーティングされる。反射層２２は、略球面状の反射面を構成し、照射拡散カバー１２そのものよりも可視光線の反射率が高い。反射層２２は上方からみて円形であり、平面視において反射層２２の外径は基部１３の外径よりも大きい。
【００２５】
反射層２２は、反射材、例えばアルミニウムや銀等の金属微粒子、を照射拡散カバー１２の内壁面に貼着したものであって、照射拡散カバー１２の頂上１２ａから下方へ向かって広がる。そして反射層２２の周縁２２ｄは、照射拡散カバー１２の頂上１２ａから底部１２ｂまでの距離Ｄのうち上側１／２の上半球領域Ｄｕに位置する。より具体的には、頂上１２ａから１／４の部位と頂上１２ａから１／３の部位の間の領域Ｄｓに位置する。
【００２６】
ところで本実施例によれば、照射拡散カバー１２の頂部１２ａをコーティングする球面状の反射層２２を備えることから、ＬＥＤ電源２１から照射される光線が反射層２２で反射されて下方に延び、照射拡散カバー１２を通過してＬＥＤ照明器具１０の直下を照明する。
【００２７】
また本実施例によれば、周縁２２ｄの直径になる反射層２２の外径は、基部１３の外径よりも大きいことから、反射層２２が基部１３よりも外方へせり出して、ＬＥＤ照明器具１０の直下を効果的に照明する。
【００２８】
また本実施例によれば、反射層２２の周縁２２ｄは、照射拡散カバーの上半球領域Ｄｕに位置することから、ＬＥＤ光源から照射する光線が照射拡散カバー１２の下半球領域を通過してＬＥＤ照明器具１０の側方を照明する。したがってＬＥＤ照明器具１０の直下および側方をバランスよく照明することができる。特に本実施例では、反射層２２の周縁２２ｄは、照射拡散カバー１２の頂上１２ａから底部１２ｂまでの距離のうち、頂上１２ａから１／４の部位と頂上１２ａから１／３の部位の間の領域Ｄｓに位置することから、ＬＥＤ照明器具１０の直下および側方を一層バランスよく照明することができる。
【００２９】
また本実施例によれば、外方へ突出する複数のフィン３３や複数のフィン４２を有することから、基部１３の表面積が増大する。したがって、ＬＥＤ光源２１に電力を供給する基部１３の温度上昇を抑制して、ＬＥＤ駆動回路を保護することができる。
【００３０】
また本実施例によれば、基部１３はＬＥＤ駆動回路を含むＬＥＤ駆動部４１と、ＬＥＤ駆動部４１から照射拡散カバー１２の底部まで延びてＬＥＤ光源２１を支持するフィン領域３１とを有する。かかる実施形態によれば、フィン領域３１でＬＥＤ光源２１およびＬＥＤ駆動部４１を効率よく冷却することができる。
【００３１】
また本実施例によれば、基部１３を支持するスタンド１１をさらに備えることから、ＬＥＤ照明器具１０の直下を効率よく照明して、作業者の足元を明るくすることができる。
【００３２】
以上、図面を参照してこの考案の実施の形態を説明したが、この考案は、図示した実施の形態のものに限定されない。図示した実施の形態に対して、この考案と同一の範囲内において、あるいは均等の範囲内において、種々の修正や変形を加えることが可能である。
【産業上の利用可能性】
【００３３】
この考案になるＬＥＤ照明器具は、産業用電気機器および家庭用電気機器において有利に利用される。
【符号の説明】
【００３４】
１０  ＬＥＤ照明器具、１１  スタンド、１２  照射拡散カバー、１３  基部、２１  ＬＥＤ光源、２２  反射層、３１  フィン領域、４１  ＬＥＤ駆動部。
【図１】
0003174789.tif 000003
【図２】
0003174789.tif 000004
【図３】
0003174789.tif 000005